(57)【要約】【課題】各種産業廃液を凝集沈澱分離処理及び微生物処理して下水道排水基準値以下の浄水として放流する排出水処理装置に関する。【解決手段】原水は複数の浄化剤混合槽２と可変速式撹拌機（シックナ）３を介して浄化処理された後、水により希釈されながら複数のバイオ処理槽５によってバイオ処理されて放流される。これにより、ＢＯＤ値やＮＯ３値が大幅に基準値以下となり、下水放流が可能になる。【選択図】  図１
0003119429.tif 000002
【実用新案登録請求の範囲】
【請求項１】
混合処理された各種産業廃液を凝集沈澱分離処理及び微生物処理して浄化し、下水道排水基準以下の処理液とする排出水処理装置であって、該装置は、原水を蓄溜する原水槽と、この原水に複数種類の浄化剤を混合させる浄化剤混合槽と、該浄化剤混合槽からの混合液を可変速で撹拌して汚泥を沈澱分離排出させる変速式撹拌機（シックナー）と、前記浄化剤混合槽及び可変速度式撹拌機（シックナー）を複数台配設して処理された一次処理液を希釈しながらバイオ処理するバイオ処理槽と、空気を供給しながら複数の前記バイオ処理槽を通過した二次処理水を放流するための放流槽とを有することを特徴とする排出水処理装置。
【請求項２】
前記原水槽には、既設原水槽からの原水が混入されることを特徴とする請求項１に記載の排出水処理装置。
【請求項３】
前記各可変速式撹拌槽（シックナー）から排出される沈澱汚泥は、汚泥受け槽に排出された後、汚泥貯溜槽に蓄溜されて処理されることを特徴とする請求項１に記載の排出水処理装置。
【考案の詳細な説明】
【技術分野】
【０００１】
本考案は、例えば、回収された各種の産業廃液を混合処理してなる排水のＢＯＤ値やＮＯ３値を下水道排水基準以下に浄水して放流処理するために使用される処理装置に係り、特に、特殊浄化剤やバイオチップを用いた微生物処理技術により浄水処置する排出水処理装置に関する。
【背景技術】
【０００２】
各種の産業廃液（原水）を下水道により排水し浄化処理するような原水浄化処理装置としては従来より各種型式のものが採用されており、夫々、効果を上げている。例えば、「特許文献１」がその一例として挙げられる。
【特許文献１】特開平１１−１２８９９２号（図１）
【考案の開示】
【考案が解決しようとする課題】
【０００３】
前記の「特許文献１」の特開平１１−１２８９９２号の「畜舎排水浄化処理装置」は一般に言われている産業廃液ではないが、畜舎から排出される家畜尿汚水（原水）を浄化処理する装置であり、この原水を籾殻を用いた濾過装置と瀑気槽と再瀑気槽と沈澱槽とを用い、更に機能膜処理をして浄水として一般河川に放流可能な排水とするものであり、原水内の残在窒素等を除去する機能を有するものである。
【０００４】
以上の「特許文献１」に示した「排水浄化処理装置」は前記のような効果及び機能を有するものであるが、原水中に含まれる重金属等の有害物質の基準値以下の除去機能やＢＯＤやＮＯ３の大幅な浄化処理やホウ素の除去等についての処理能力については説明が不十分であり、これ等の除去効果に関する処理能力について不明である。また、その他の従来の「浄化処理装置」も本考案の装置に較べて構成が複雑なものが多く、その浄化機能についても十分に開示されてるいものが少ない。
【０００５】
本考案は、以上の事情に鑑みて考案されたものであり、装置の構成が比較的簡単で整然としており、かつＢＯＤやＮＯ３の浄化処理が大幅にでき、重金属やホウ素の除去も可能な排出水処理装置を提供することを目的とする。
【課題を解決するための手段】
【０００６】
本考案は、以上の目的を達成するために、請求項１の考案は、混合処理された各種産業廃液を凝集沈澱分離処理及び微生物処理して浄化し、下水道排水基準以下の処理液とする排出水処理装置であって、該装置は、原水を蓄溜する原水槽と、この原水に複数種類の浄化剤を混合させる浄化剤混合槽と、該浄化剤混合槽からの混合液を可変速で撹拌して汚泥を沈澱分離排出させる変速式撹拌機（シックナー）と、前記浄化剤混合槽及び可変速度式撹拌機（シックナー）を複数台配設して処理された一次処理液を希釈しながらバイオ処理するバイオ処理槽と、空気を供給しながら複数の前記バイオ処理槽を通過した二次処理水を放流するための放流槽とを有することを特徴とする。
【０００７】
また、請求項２の考案は、前記原水槽には、既設原水槽からの原水が混入されることを特徴とする。
【０００８】
また、請求項３の考案は、前記各可変速式撹拌槽（シックナー）から排出される沈澱汚泥は、汚泥受け槽に排出された後、汚泥貯溜槽に蓄溜されて処理されることを特徴とする。
【考案の効果】
【０００９】
本考案の請求項１の排出水処理装置によれば、各種産業廃液等の原水が、複数種類の特殊浄化剤の複数回の浄化処理によりほぼ浄化され、混在している汚泥を沈澱排出し、一次処理液を希釈しながらバイオ処理し、これを複数回行うことにより放流可能な浄水とすることができる。なお、使用される特殊浄化剤やバイオ処理に用いるバイオタクトについてはノウハウ的なものであり、その内容については開示することは出来ないが、処理結果については後記するように開示することが出来、本考案の排出水処理装置の機能について十分に実証することは可能である。
【００１０】
また、本考案の請求項２の排出水処理装置によれば、原水としては新しく流出水される原水のみならず、既設原水についても同時に浄化処理することができ大量の原水の処理が可能となる。
【００１１】
また、本考案の請求項３の排出水処理装置によれば、浄化処理時に沈澱された汚泥は汚泥受け槽に排出されて蓄溜されるため、原水の浄化処理と汚泥の処理が同時に行われる効果が上げられる。
【考案を実施するための最良の形態】
【００１２】
以下、本考案の排出水処理装置の実施の形態を図面を参照して詳述する。
図１は本考案の排出水処理装置１００の全体構成を示す構成図である。排出水処理装置１００は大別すると原水槽１と、浄化剤混合槽２と、可変速式撹拌機（以下、シックナ）と称呼する）３と、希釈水槽４と、バイオ処理槽５と、放流槽６等とからなる。なお、本実施例では原水槽１には既設原水槽１ａが連結され、浄化剤混合槽２とこれに隣接するシックナ３とは３組連結されるが、勿論これに限定するものではない。また、説明の都合上、３組の浄化剤混合槽２はＮＯ１混合槽２ａ，ＮＯ２混合槽２ｂ，ＮＯ３混合槽２ｃとし、これ等と隣接するシックナ３はＮＯ１シックナ３ａ、ＮＯ２シックナ３ｂ、ＮＯ３シックナ３ｃとする。また、バイオ処理槽５も本実施例ではＮＯ１バイオ槽５ａ、ＮＯ２バイオ槽５ｂ及びＮＯ３バイオ槽５ｃとからなるが勿論これに限定するものではない。また、浄化剤混合槽２に投入される浄化剤７は本実施例では３種類のものからなり、説明の都合上ＮＯ１浄化剤７ａ、ＮＯ２混合剤７ｂ及びＮＯ３浄化剤７ｃとし、これ等は夫々独立したＮＯ１乃至ＮＯ３浄化剤槽８ａ，８ｂ，８ｃに保存されポンプ９により浄化剤混合槽２側に投入される。また、シックナ３から排出された沈澱汚泥は汚泥受け槽１０に排出され、これに連結される汚泥貯溜槽１１に蓄溜される。
【００１３】
ＮＯ１乃至ＮＯ３浄化槽２ａ，２ｂ，２ｃは夫々２つの浄化槽体２ａ′，２ａ″、２ｂ′，２ｂ″及び２ｃ′，２ｃ″からなりＮＯ１浄化槽２ａには原水流量計１２や電磁流量計１３が設けられている。
【００１４】
シックナ３（３ａ，３ｂ，３ｃとも同じ）は、下方に向かって縮径するテーパ管１９を下方に配置する回転可能な円筒体からなり、その中心部には原水が流れるフィルタ１４が配置される。シックナ３に投入された浄化剤を含む原水はシックナ３で可変速で撹拌され浄化されて放水堰１５からオーバフローして隣りの浄水剤混合槽２側に送られる。
【００１５】
バイオ処理槽５のＮＯ１バイオ槽５ａはバイオチップであるバイオアクト１６を充填した槽からなり、ＮＯ３シックナからの一次処理液が投入される。ＮＯ２バイオ槽５ｂはＮＯ１バイオ槽５ａにより処理されたバイオ処理液が投入される槽からなり、エアブロウ１７からの空気が投入される。また、ＮＯ３バイオ槽５ｃは底面側にバイオアクト１６を配設した槽からなり、エアブロウ１７からの空気の供給が行われる。
【００１６】
汚泥受け槽１０はＮＯ１乃至ＮＯ３シックナ３ａ，３ｂ，３ｃの前記テーパ管１９の下方に設けられる排水管に連結され、ＮＯ１乃至ＮＯ３シックナ３ａ，３ｂ，３ｃから沈澱された汚泥が排出される受け槽からなり、この汚泥はポンプ１８により汚泥貯溜槽１１に送出される。
【００１７】
次に、本考案の排出水処理装置１００による原水の浄化処理作用について説明する。なお、全体のフローとしては図２に示す処理フローからなるが、以下ではその処理フローをやや詳細に説明する。
図２に示すように、既設設備からの各種改修廃液は個別に前処理され選別及び混合されて移送され原水槽１に貯溜される。この原水はまずＮＯ１浄化槽２の浄化槽体２ａ′に導入される。浄化槽体２ａ′には予めＮＯ１浄化剤槽８ａからのＮＯ１浄化剤７ａとＮＯ２浄化剤槽８ｂからのＮＯ２浄化剤７ｂが投入されており、ここで原水はこれ等のＮＯ１及びＮＯ２浄化剤７ａ，７ｂと混合処理されて浄化槽体２ａ″に導入される。この浄化槽体２ａ″には予めＮＯ３浄化剤槽８ｃからのＮＯ３浄化剤７ｃが投入されており、ここで混合処理される。
【００１８】
ＮＯ１浄化槽２ａの処理が終わった原水はＮＯ１シックナ３ａに投入されフィルタ１４を介してＮＯ１シックナ３ａで可変速で撹拌処理される。ＮＯ１シックナ３ａにより処理されて放水堰１５を越えた原水はＮＯ２浄化槽２ｂに導入されＮＯ２シックナ３ｂにより前記と同様な処理が行われる。なお、ＮＯ２浄化槽２ｂ及びＮＯ３浄化槽２ｃにはＮＯ１浄化槽２ａと同様な浄化剤７が投入されているが重複説明を省略する。
【００１９】
ＮＯ３シックナ３ｃによる処理の終了した一次処理液はバイオ処理槽５のＮＯ１バイオ槽５ａに導入され、ここでバイオアクト１６によるバイオ処理が行われる。なお、ＮＯ１バイオ槽５ａには希釈水槽４からの希釈水が投入され、ＢＯＤ値やＮＯ３値を所望の値にする処理が行われる。このＮＯ１バイオ槽５ａは積極的なバイオ処理を行うための槽であり、これに隣接するＮＯ２バイオ槽５ｂは主としてばつき処理を行うものであり、エアブロウ１７からの空気が適量投入される。また、ＮＯ３バイオ槽５ｃは補助処理槽として機能し、底面側にあるバイオアクト１６によるバイオ処理が行われる。
【００２０】
バイオ槽５によるバイオ処理が終了した処理液は放流槽６に送られ処理液として下流側に放流される。
【００２１】
以上の一連の浄化処理は、各段階においてここで開示していない詳細な処理が行われるが、ここではその内容はノウハウ的なものであり開示しない。以上の処理により、重金属等の有害物質が除去され、ホウ素もＢＯＤとの関係から希釈され放流可能な基準値以下になると共に、ＢＯＤ値やＮＯ３値が下水道排水基準以下に処理される。
「表１」は、本考案の排出水処理装置１００によって処理された原水のＢＯＤ及びＮＯ３値を示すものである。
【００２２】
【表１】
0003119429.tif 000003
【００２３】
なお、「表１」のＲＯＤ及びＮＯ３の値はパステルＵＶによる分析値であり、下段の推定ＢＯＤが以上のパステル分析値から推定した実際のＢＯＤ値であり、この値は下水道排水基準値を下回るものである。
【産業上の利用分野】
【００２４】
以上の説明では本考案は産業廃液の浄水処理について説明したが、処理対象の原水はこれに限定するものではなく、各種の原水に対しても適用可能であり、その利用範囲は広い。
【図面の簡単な説明】
【００２５】
【図１】本考案の排出水処理装置の全体構成を示す構成図。
【図２】本考案の排出水処理装置の処理フローを示すフローチャート。
【符号の説明】
【００２６】
１      原水槽
１ａ    既設原水槽
２      浄化剤混合槽
２ａ    ＮＯ１浄化槽
２ａ′  浄化槽体
２ａ″  浄化槽体
２ｂ    ＮＯ２浄化槽
２ｂ′  浄化槽体
２ｂ″  浄化槽体
２ｃ    ＮＯ３浄化槽
２ｃ′  浄化槽体
２ｃ″  浄化槽体
３      シックナ（可変速式撹拌機）
３ａ    ＮＯ１シックナ
３ｂ    ＮＯ２シックナ
３ｃ    ＮＯ３シックナ
４      希釈水槽
５      バイオ処理槽
５ａ    ＮＯ１バイオ槽
５ｂ    ＮＯ２バイオ槽
５ｃ    ＮＯ３バイオ槽
６      放流槽
７      浄化剤
７ａ    ＮＯ１浄化剤
７ｂ    ＮＯ２浄化剤
７ｃ    ＮＯ３浄化剤
８ａ    ＮＯ１浄化槽
８ｂ    ＮＯ２浄化槽
８ｃ    ＮＯ３浄化槽
９      ポンプ
１０    汚泥受け槽
１１    汚泥貯溜槽
１２    原水流量計
１３    電磁流量計
１４    フィルタ
１５    放水堰
１６    バイオアクト
１７    エアブロウ
１８    ポンプ
１９    テーパ管
１００  排出水処理装置
【図１】
0003119429.tif 000004
【図２】
0003119429.tif 000005